(57)【要約】【課題】各種開閉形式の窓に対応可能な遮蔽体が設置できかつ利便性や止水性が確保できる建具を提供を提供すること。【解決手段】上枠５の室内側見付け面５Ｄに形成された開口部を介して手動操作ユニット２０のボールチェーン（操作部材）２７が室内側に位置して設けられ、このボールチェーン２７の操作によってシャッター１０が開閉できる。上枠５の面材支持部５Ｃよりも上方に位置して開口部が設けられ、この開口部からボールチェーン２７が室内側に垂下されているので、ボールチェーン２７が下部障子４の開閉に干渉しないようにできるとともに、室内側見付け面５Ｄに開口部が形成されることで、この開口部からの雨水等の浸入が防止でき、止水性を確保することができる。【選択図】図１
2008231906.tif 000002
【特許請求の範囲】
【請求項１】
建物開口部に固定されて少なくとも上枠を有した枠体と、この枠体に支持された少なくとも１枚の面材と、この面材の室外側を覆う閉鎖位置と上方に収容される開放位置との間を移動可能に設けられた遮蔽体と、この遮蔽体を室内側から手動で開閉操作するための開閉操作手段とを備え、
前記枠体の上枠には、前記面材を支持する面材支持部と、この面材支持部よりも上方に位置する室内側見付け面と、この室内側見付け面に形成された開口部とが設けられ、
前記開口部を介して前記室内側見付け面の室内外に渡って前記開閉操作手段が設けられ、当該開閉操作手段が前記遮蔽体の支持部に接続されるとともに室内側から操作可能に構成されている建具。
【請求項２】
前記開閉操作手段は、前記上枠の開口部に挿通される操作部材と、この操作部材の操作によって回動される回動軸と、この回動軸に固定された主動伝達部材とを有し、前記遮蔽体の支持部は、当該遮蔽体を巻き取る巻取り軸と、この巻取り軸に固定されかつ前記主動伝達部材と連動可能に接続された従動伝達部材とを有して構成され、
前記操作部材を操作して前記回動軸および主動伝達部材を回動することで、前記従動伝達部材および巻取り軸を介して前記遮蔽体が開閉駆動される請求項１に記載の建具。
【請求項３】
前記開閉操作手段は、前記操作部材と回動軸との連結部を収納するケース体を有して構成され、このケース体が、前記開口部周縁との間に気密材を介して前記室内側見付け面の室外側に設置されている請求項２に記載の建具。
【請求項４】
前記枠体は、閉鎖位置の前記遮蔽体を収容する収容部を有して構成され、前記開閉操作手段は、前記操作部材と回動軸との連結部を収納するケース体を有して構成され、
前記ケース体が、前記収容部の内部に設置されるとともに当該収容部に形成した開口に前記操作部材が挿通され、前記収容部の開口周縁と前記ケース体との間に気密材が介挿されている請求項２に記載の建具。
【請求項５】
前記開口部は、前記上枠の長手方向左右の少なくとも一方側端部側における前記室内側見付け面に形成されている請求項１から請求項４のいずれかに記載の建具。
【請求項６】
前記遮蔽体が上下に連結された複数のスラットであって、前記枠体における上枠の室外側には、前記スラットを巻取り収容する収容部が設けられている請求項１から請求項５のいずれかに記載の建具。
【発明の詳細な説明】
【技術分野】
【０００１】
本発明は、建具に関し、詳しくは、枠体および面材と、面材の室外側を覆って上下開閉可能な遮蔽体とを備えた建具に関する。
【背景技術】
【０００２】
従来、窓枠（枠体）および障子（面材）の室外側にシャッター（ロールシャッター）や外部ブラインド、巻き取り式網戸等の遮蔽体を取り付け、これらのシャッター等を閉じることで窓開口部を遮蔽可能な窓が広く利用されている。このような外部シャッター等では、下部に設けられた施錠具と下枠等に設けられた受け部との係合により施錠され、施錠具に連結されたロープ等を引っ張って施錠を解除するとともに、このロープやシャッター下部を上方に持ち上げることで開放されるようになっている。また、開放された状態からロープやシャッター下部を引き下げ操作するとともに、施錠具と受け部とを係合させることで、シャッターが閉鎖されるようになっている。
【０００３】
ところで、以上のような外部シャッター等では、室内側に位置する窓の障子を開いてからシャッターの開閉操作を行う必要があるため、操作が面倒であるという不都合がある。また、窓の開閉形式によっては、シャッターの開閉操作が困難になるという不都合もある。例えば、上げ下げ窓の場合には、下部障子を全開しても上方に収容されたシャッター下部まで手が届きにくく、シャッターの閉鎖操作が困難となったり、開放操作の際にも、シャッターの巻き取り力が不足して途中で止まってしまったりなど、様々な不都合があった。
そこで、外部シャッター等の開放操作を室内側から可能とした構造が提案されている（例えば、特許文献１参照）。
特許文献１に記載されたシャッターでは、シャッターの巻き取りドラムに連結した操作紐を、窓の上枠に設けた孔から室内側下方に垂らしておき、この操作紐を引くことで巻き取りドラムを回転させてシャッターを開放することができるように構成されている。
【０００４】
【特許文献１】実用新案登録第２５２９４５９号公報
【発明の開示】
【発明が解決しようとする課題】
【０００５】
しかしながら、前記特許文献１に記載された従来のシャッターでは、上枠を上下に貫通する孔に操作紐を通しているため、この孔や操作紐が干渉して障子の開閉の障害となってしまう可能性があり、利便性の点で問題がある。また、シャッターを収容する空間（外部空間）から下方に向かって孔が形成されているため、その空間に入った雨水等が孔を介して室内側に浸入する可能性もあり、止水性の点で問題がある。
【０００６】
本発明の目的は、各種開閉形式の窓に対応可能な遮蔽体が設置できかつ利便性や止水性が確保できる建具を提供することにある。
【課題を解決するための手段】
【０００７】
本発明の建具は、建物開口部に固定されて少なくとも上枠を有した枠体と、この枠体に支持された少なくとも１枚の面材と、この面材の室外側を覆う閉鎖位置と上方に収容される開放位置との間を移動可能に設けられた遮蔽体と、この遮蔽体を室内側から手動で開閉操作するための開閉操作手段とを備え、前記枠体の上枠には、前記面材を支持する面材支持部と、この面材支持部よりも上方に位置する室内側見付け面と、この室内側見付け面に形成された開口部とが設けられ、前記開口部を介して前記室内側見付け面の室内外に渡って前記開閉操作手段が設けられ、当該開閉操作手段が前記遮蔽体の支持部に接続されるとともに室内側から操作可能に構成されていることを特徴とする。
【０００８】
ここで、遮蔽体としては、複数のシャッターのスラットが上下に連結されて上方に巻取り収容可能に構成されたものであってもよく、また上方に折畳み収容可能に構成されたものでもよい。さらに、遮蔽体としては、複数のスラットがリンクを介して上下に連結されて上方に巻取り収容可能または重ね合わせ収容可能に構成された外部ブラインドであってもよい。また、遮蔽体としては、上方に巻取り収容可能なネットを備えて構成された網戸（ロール網戸）であってもよい。また、面材支持部としては、面材を開閉自在に支持するガイド機能を有するものでもよく、面材を開閉不能に支持する固定機能を有するものでもよい。
【０００９】
以上の本発明によれば、室内側見付け面に形成された開口部を介して室内外に渡って開閉操作手段を設け、この開閉操作手段が室内側から操作可能に構成されているので、枠体に支持された面材を開かなくても開閉操作手段を操作して遮蔽体を開閉操作することができる。従って、面材の開閉形式に関わらず、あるいは面材が枠体に対して開閉不能に固定されていたとしても、室内側から遮蔽体を開閉操作することができ、利便性を高めることができる。
また、上枠における面材支持部よりも上方に位置する室内側見付け面に開口部を設けた、つまり面材支持部から離れた位置に開口部を形成し、この開口部を介して開閉操作手段を室内側に延ばして設けたことで、開閉操作手段が障子の開閉に干渉することが防止でき、利便性をさらに向上させることができる。さらに、室内側見付け面を上下方向ではなく見込み方向に貫通して開口部が形成されることで、この開口部を介して室内側への雨水等の浸入が防止しやすくなり、止水性を確保することができる。
【００１０】
この際、本発明の建具では、前記開閉操作手段は、前記上枠の開口部に挿通される操作部材と、この操作部材の操作によって回動される回動軸と、この回動軸に固定された主動伝達部材とを有し、前記遮蔽体の支持部は、当該遮蔽体を巻き取る巻取り軸と、この巻取り軸に固定されかつ前記主動伝達部材と連動可能に接続された従動伝達部材とを有して構成され、前記操作部材を操作して前記回動軸および主動伝達部材を回動することで、前記従動伝達部材および巻取り軸を介して前記遮蔽体が開閉駆動されることが好ましい。
【００１１】
ここで、操作部材としては、適宜なロープやワイヤー、チェーン、ボールチェーンなどを無端の輪で形成して回動軸に巻回したものや、回動軸に適宜なギア等を介して接続されて回転操作可能に構成された回動ロッドなどが利用可能である。また、主動伝達部材と従動伝達部材とを連動可能に接続する構成としては、主動伝達部材および従動伝達部材をスプロケット状に形成してチェーンで連結した構成や、主動伝達部材および従動伝達部材をプーリ状（歯付きプーリ）に形成して無端ベルト（歯付きベルト）で連結した構成、さらには、主動伝達部材および従動伝達部材を歯車状に形成して適宜なギアを介して連結した構成など、任意のものが採用可能である。
このような構成によれば、室内側で操作した操作部材からの操作力で回動軸および主動伝達部材を回動し、この操作力を従動伝達部材および巻取り軸を介して遮蔽体に確実に伝達することで、遮蔽体の開閉を円滑に実施することができる。そして、主動伝達部材および従動伝達部材の回転比を適宜に設定することで、小さな操作力によって遮蔽体を開閉するようにもでき、操作性をさらに良好にすることができる。
【００１２】
さらに、本発明の建具では、前記開閉操作手段は、前記操作部材と回動軸との連結部を収納するケース体を有して構成され、このケース体が、前記開口部周縁との間に気密材を介して前記室内側見付け面の室外側に設置されていることが好ましい。
このような構成によれば、操作部材と回動軸との連結部を収納したケース体によって開口部の室外側が塞がれることで、雨水等が開口部を介して室内側に浸入しにくくすることができる。さらに、開口部周縁との間に気密材を介してケース体を室内側見付け面の室外側に設置したことで、開口部からの雨水等の室内側への浸入をより一層防ぐことができ、止水性を向上させることができる。
【００１３】
また、本発明の建具では、前記枠体は、閉鎖位置の前記遮蔽体を収容する収容部を有して構成され、前記開閉操作手段は、前記操作部材と回動軸との連結部を収納するケース体を有して構成され、前記ケース体が、前記収容部の内部に設置されるとともに当該収容部に形成した開口に前記操作部材が挿通され、前記収容部の開口周縁と前記ケース体との間に気密材が介挿されていてもよい。
このような構成によれば、ケース体を収容部の内部に設置し、収容部の開口から操作部材を室内側に延ばした場合において、収容部の開口をケース体によって塞ぐことで、収容部内部に入った雨水等が開口を介して室内側に浸入するのを防止することができる。
【００１４】
また、本発明の建具では、前記開口部は、前記上枠の長手方向左右の少なくとも一方側端部側における前記室内側見付け面に形成されていることが好ましい。
このような構成によれば、上枠の長手方向端部に開口部を形成することで、縦枠の室内側に沿った位置などの障子の開閉の邪魔にならない位置で、さらに建具の意匠性や開放感を損なわない位置に、開閉操作手段の室内側部分（操作部材）を配置することができる。
【００１５】
また、本発明の建具では、前記遮蔽体が上下に連結された複数のスラットであって、前記枠体における上枠の室外側には、前記スラットを巻取り収容する収容部が設けられていることが好ましい。
このような構成によれば、前述のように面材を開かなくても開閉操作でき、操作性や利便性に優れたシャッターを有する建具を構成することができる。
【発明を実施するための最良の形態】
【００１６】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１７】
〔第１実施形態〕
図１は、本発明の第１実施形態に係る建具である上げ下げ窓１を示す縦断面図である。図２は、上げ下げ窓１を示す横断面図である。図３は、上げ下げ窓１の一部を室内側から見た正面図である。
図１〜図３において、上げ下げ窓１は、戸建て住宅等の建物の外壁開口部に設けられるものであって、外壁開口部に固定される枠体としての窓枠２と、この窓枠２の内側に移動不能に固定された面材としての上部障子３（室外障子）と、窓枠２の内側に上下スライド開閉自在に支持された面材としての下部障子４（室内障子）とを備えて構成された、いわゆるシングルハングの上げ下げ窓である。窓枠２は、上枠５、下枠６、および左右の縦枠７を四周枠組みして形成され、窓枠２には、上部障子３の室外側に網戸８が支持されるとともに、この網戸８よりも室外側にシャッター１０が上下開閉自在かつ上方に巻き上げ収容可能に支持されている。
【００１８】
シャッター１０は、複数のスラット１１Ａおよびその下端部に連結された下端スラット１１Ｂから構成された遮蔽体としてのシャッター面材１１と、このシャッター面材１１を巻き取る支持部としての巻取りドラム１２とを備えて構成されている。この巻取りドラム１２は、上枠３の上方室外側に固定された収容部であるシャッターボックス１３の内部（収容空間１３Ａ）に設けられ、縦枠７に軸支される巻取り軸１４によって回動自在に支持されている。シャッター面材１１は、巻取りドラム１２に巻き取られて収容空間１３Ａに収容された開放位置と、上部障子３、下部障子４および網戸８の室外側を覆う閉鎖位置との間を上下開閉移動自在に、縦枠７のシャッターレール７Ａに支持されている。そして、閉鎖位置において、シャッター面材１１の下端スラット１１Ｂが下枠６に当接することで、上げ下げ窓１の開口全面を覆い、上げ下げ窓１の防犯性が確保できるようになっている。
【００１９】
次に、以上のようなシャッター１０の構造について、図４〜図７も参照して詳しく説明する。
図４(Ａ)，(Ｂ)は、シャッター１０のシャッターボックス１３を示す縦断面図である。図５は、シャッター１０の駆動機構を示す横断面図である。図６は、上枠５およびシャッター１０の開閉操作手段を示す縦断面図である。図７および図８は、それぞれ開閉操作手段を示す側面図および斜視図である。
【００２０】
シャッターボックス１３は、上枠５の上側でかつ左右の縦枠７に渡って固定されるルーフ板１３Ｂと、このルーフ板１３Ｂの室外側前面を覆う点検板１３Ｃと、縦枠７に固定されるケーシング１３Ｄと、このケーシング１３Ｄに固定されて巻取りドラム１２の巻取り軸１４を軸支する軸受け部１３Ｅとを有して構成されている。このシャッターボックス１３では、ルーフ板１３Ｂを上枠５および縦枠７に固定し、ケーシング１３Ｄを縦枠７に直接ビス止め固定し、このようにケーシング１３Ｄが窓枠２に固定された状態において、巻取りドラム１２を軸受け部１３Ｅに設置するように構成されている。従って、シャッターボックスを組み立ててから、このシャッターボックスを窓枠２の上部室外側にブラケットを介して取り付ける場合と比較して、ブラケットが不要になる分だけシャッターボックス１３の幅寸法や見込み（奥行き）寸法、高さ寸法等が小さく形成できるようになっている。なお、ここでは、縦枠７にケーシング１３Ｄを直に固定したが、縦枠７にブラケットを介してケーシング１３Ｄを固定してもよいし、前述したようにシャッターボックスを窓枠２の上部室外側にブラケットを介して取り付けてもよい。
【００２１】
シャッター１０の駆動機構は、図５に示すように、巻取りドラム１２の巻取り軸１４に固定された従動伝達部材としての従動スプロケット１５と、開閉操作手段である手動操作ユニット２０と、手動操作ユニット２０に設けられた主動スプロケット２５と従動スプロケット１５とに巻回されたチェーン１６とを有して構成されている。ここで、従動スプロケット１５は、主動伝達部材としての主動スプロケット２５よりも大きな径で形成されており、主動スプロケット２５の回転を減速した回転数で従動スプロケット１５が駆動されることで、チェーン１６を介して手動操作ユニット２０からの開閉駆動力が巻取りドラム１２に伝達されるようになっている。
【００２２】
次に、図６〜図８にも示すように、手動操作ユニット２０は、縦枠７の内側面に固定される固定面部２１と、この固定面部２１から見付け方向側方に延びる４本の連結ロッド２２と、これらの連結ロッド２２に固定されたケース体２３とを有している。そして、手動操作ユニット２０は、ケース体２３に軸支されて縦枠７側に延出する回動軸２４と、この回動軸２４の先端側に固定された主動スプロケット２５と、ケース体２３内において回動軸２４に固定された連結部としてのギア２６と、このギア２６に巻回されるとともにケース体２３から室内側に延びる操作部材としてのボールチェーン２７とを有して構成されている。ボールチェーン２７は、無端の輪状に形成され、ケース体２３の内面によってギア２６に噛み合うように位置規制されており、このボールチェーン２７を回転操作することで、ギア２６および回動軸２４を介して主動スプロケット２５が回転駆動されるようになっている。
【００２３】
また、手動操作ユニット２０は、図２、図３に示すように、縦枠７における室内側に形成された縦枠アングル部７Ｂに固定された係止部材２８を有しており、ボールチェーン２７は、係止部材２８に係止できるようになっている。そして、この係止部材２８にボールチェーン２７を係止させることで、ギア２６、回動軸２４および主動スプロケット２５の回転が規制され、つまりシャッター１０の開閉移動が規制できるように構成されている。すなわち、互いに係止される係止部材２８とボールチェーン２７とによって、シャッター１０の施錠機構が構成されている。
【００２４】
以上のような手動操作ユニット２０において、ケース体２３や回動軸２４、主動スプロケット２５は、上枠５の上側つまりシャッター１０の収容空間１３Ａ側に設置されている。ここで、上枠５は、図６に示すように、アルミ製の上枠本体５Ａと、この上枠本体５Ａの室内側に取り付けられた樹脂製の上枠室内部材５Ｂとを有して構成されている。なお、上枠本体５Ａと上枠室内部材５Ｂの材質は、前述のものに限定されず、適宜な材質から選択されればよい。
上枠本体５Ａには、下向きに開口して前記上部障子３の上端部（上框）を支持する面材支持部としての凹部５Ｃが形成され、上枠室内部材５Ｂには、凹部５Ｃよりも室内側にて上方に延びた室内側見付け面５Ｄが形成されている。この室内側見付け面５Ｄは、収容空間１３Ａの底面を構成する上枠上面部５Ｅよりも上方に延びて形成され、この室内側見付け面５Ｄの上端には、室内側に延びて建物躯体等に固定される上枠アングル部５Ｆが形成されている。そして、室内側見付け面５Ｄにおける上枠上面部５Ｅよりも上方位置でかつ上枠アングル部５Ｆよりも下側位置には、開口部５Ｇが形成されている。この開口部５Ｇは、室内側見付け面５Ｄを貫通して形成され、手動操作ユニット２０のボールチェーン２７を挿通させるものである。
【００２５】
ケース体２３は、ボールチェーン２７が挿通する開口を室内側側面に有し、主動スプロケット２５側の面に回動軸２４が挿通する挿通孔２３Ｂが形成されており、それらの開口および挿通孔２３Ｂ以外がほぼ閉塞された壁面で囲まれた略箱型状に形成されている。また、手動操作ユニット２０におけるケース体２３の室内側側面には、開口部５Ｇに対応した寸法の突起部２３Ａが形成されており、この突起部２３Ａが開口部５Ｇに嵌った状態で、ケース体２３が室内側見付け面５Ｄの室外側に設置されるようになっている。そして、ケース体２３の設置位置における上枠本体５Ａや上枠室内部材５Ｂには、適宜な切り欠きが設けられている。また、ケース体２３と開口部５Ｇ周縁の室内側見付け面５Ｄとの間には、図示しない気密材（シール材）が介挿されており、室内空間と室外空間である収容空間１３Ａとが仕切られるようになっている。さらに、ケース体２３において回動軸２４を挿通させる挿通孔２３Ｂ位置にも、回動軸２４回りに適宜な気密材（ガスケットやモヘヤ等）が設けられている。以上のように、ケース体２３と室内側見付け面５Ｄとの間、およびケース体２３の挿通孔２３Ｂ部分を介して、収容空間１３Ａから室内側への雨水等の浸入を防止する止水構造が構成されている。
【００２６】
以上のようなシャッター１０は、以下の手順で窓枠２に取り付けられる。
先ず、窓枠２の上枠５および縦枠７の上側にルーフ板１３Ｂを固定し、縦枠７の内面にケーシング１３Ｄおよび軸受け部１３Ｅを固定するとともに、手動操作ユニット２０を縦枠７の内面に固定する。この手動操作ユニット２０の固定に際しては、室内側見付け面５Ｄの室外側からボールチェーン２７を開口部５Ｇに挿通して室内側に垂下させ、室内側見付け面５Ｄの室外側側面に気密材を介してケース体２３の突起部２３Ａ周辺を当接させて突起部２３Ａを開口部５Ｇに嵌合させる。これに続いて、主動スプロケット２５にチェーン１６を巻回してから、固定面部２１を縦枠７に固定して手動操作ユニット２０の固定が完了する。
次に、巻取りドラム１２の従動スプロケット１５にチェーン１６を巻回してから、巻取り軸１４をケーシング１３Ｄの軸受け部１３Ｅにセットするとともに、巻取りドラム１２にシャッター面材１１を取り付け、シャッターレール７Ａにスラット１１Ａおよび下端スラット１１Ｂを挿通して支持させる。この後、シャッターボックス１３の点検板１３Ｃをルーフ板１３Ｂに固定してシャッター１０の取り付けが完了する。
【００２７】
このような本実施形態によれば、以下のような効果がある。
（１）すなわち、上枠５の室内側見付け面５Ｄに形成された開口部５Ｇを介して手動操作ユニット２０のボールチェーン２７が室内側に位置して設けられ、このボールチェーン２７の操作によってシャッター１０が開閉されるので、下部障子４を開かなくてもシャッター１０を開閉操作することができ、利便性を高めることができる。
【００２８】
（２）また、上枠５の面材支持部５Ｃよりも室内側かつ上方に位置して開口部５Ｇが設けられ、この開口部５Ｇからボールチェーン２７が室内側に垂下されているので、ボールチェーン２７が下部障子４の開閉に干渉せず、利便性をさらに向上させることができる。さらに、室内側見付け面５Ｄを貫通して上枠上面部５Ｅよりも上方に開口部５Ｇが形成されることで、この開口部５Ｇを介して室内側への雨水等の浸入が防止でき、止水性を確保す
ることができる。
【００２９】
（３）さらに、手動操作ユニット２０のケース体２３にボールチェーン２７とギア２６との噛合部が収納されているので、この噛合部への埃やゴミ、水等の付着を防止することができ、円滑な開閉操作を確保することができる。また、気密材を介してケース体２３を室内側見付け面５Ｄの開口部５Ｇ周縁に当接させたことで、開口部５Ｇからの雨水等の室内側への浸入を確実に防止でき、止水性を向上させることができる。さらに、略箱型状のケース体２３によって開口部５Ｇの室外側が塞がれることで、雨水等が開口部５Ｇを介して室内側に浸入しにくくすることができる。
【００３０】
（４）また、手動操作ユニット２０の主動スプロケット２５と巻取りドラム１２の従動スプロケット１５とがチェーン１６を介して接続され、主動スプロケット２５の回転を減速して従動スプロケット１５および巻取りドラム１２が回転駆動されるので、さほど大きくないボールチェーン２７の操作力で容易にシャッター１０の開閉を実施することができる。また、シャッター面材１１の大きさや重さに応じて主動スプロケット２５や従動スプロケット１５の大きさ（歯の数）を変更するだけで、ボールチェーン２７の操作力をさほど変えることなく、設計変更に対応することができる。
【００３１】
〔第２実施形態〕
図９は、本発明の第２実施形態に係る建具である縦辷り出し窓５０を示す縦断面図である。図１０は、縦辷り出し窓５０を示す横断面図である。図１１は、縦辷り出し窓５０に設けたシャッターの駆動機構を示す横断面図である。
本実施形態の縦辷り出し窓５０において、前記第１実施形態の上げ下げ窓１との相違点としては、障子の開閉形式の他に、枠体の構成およびシャッター開閉操作手段の構成が挙げられる。以下、第１実施形態との相違点について詳しく説明する。
【００３２】
図９、図１０において、縦辷り出し窓５０は、枠体としての窓枠５１と、この窓枠５１の内側に縦辷り出し形式で開閉自在に支持された面材としての障子５２と、この障子５２の室外側に上下開閉自在かつ上方に巻き上げ収容可能に支持されたシャッター１０とを備えて構成されている。窓枠５１は、障子５２を支持する第１窓枠５１Ａと、シャッター１０を支持する第２窓枠５１Ｂとからなり、それぞれ別体で形成した第１および第２の窓枠５１Ａ，５１Ｂを連結することによって構成されている。第１窓枠５１Ａは、障子５２を回動自在に支持する上枠５３および下枠５４と、閉じた障子に当接する左右の縦枠５５とを四周枠組みして形成されている。第２窓枠５１Ｂは、上枠５３の上方かつ室外側に固定される収容部としてのシャッターボックス５６と、下枠５４の下方かつ室外側に固定されるシャッター下枠５７と、縦枠５５の見付け方向外方かつ室外側に固定される左右のシャッターレールを有するシャッター縦枠５８とを有して構成されている。
【００３３】
第１窓枠５１Ａにおける上枠５３、下枠５４および縦枠５５には、それぞれ見付け方向外側に突出して形成される第１固定片部５３Ａ，５４Ａ，５５Ａが形成されている。一方、第２窓枠５１Ｂにおけるシャッターボックス５６、シャッター下枠５７およびシャッター縦枠５８には、見付け方向内側に突出して形成される第２固定片部５６Ａ，５７Ａ，５８Ａが形成されている。そして、第１固定片部５３Ａと第２固定片部５６Ａとをビス止め固定することで、上枠５３とシャッターボックス５６とが連結され、第１固定片部５４Ａと第２固定片部５７Ａとを係合させることで、下枠５４とシャッター下枠５７とが連結され、第１固定片部５５Ａと第２固定片部５８Ａとをビス止め固定することで、縦枠５５とシャッター縦枠５８とが連結されている。また、シャッターボックス５６、シャッター下枠５７およびシャッター縦枠５８には、見付け方向外側に突出して形成される壁固定片部５６Ｂ，５７Ｂ，５８Ｂが形成され、これらの壁固定片部５６Ｂ，５７Ｂ，５８Ｂを外壁にビス止めすることで、窓枠５１が外壁に固定されるようになっている。
【００３４】
また、上枠５３は、その室内側にて上下に延びて設けられ、当該上枠５３と上辺額縁材Ｇ１との隙間を塞ぐ閉塞部５３Ｂを有して構成されている。この閉塞部５３Ｂは、室内外一対の部材を組み合わせることで中空状に形成され、この閉塞部５３Ｂによって上枠５３の室内側見付け面が構成されている。そして、閉塞部５３Ｂには、図３にも示すように、当該閉塞部５３Ｂを室内外に貫通する開口部５３Ｃが形成され、この開口部５３Ｃには、手動操作ユニット２０のボールチェーン２７を案内するチェーン受け５３Ｄが設けられている。このチェーン受け５３Ｄは、２本の回転軸を有して構成され、手動操作ユニット２０から室内側に延びるボールチェーン２７の一方および他方を転動案内するように構成されている。そして、本実施形態において、チェーン受け５３Ｄから室内側に垂下されたボールチェーン２７の下端側を係止する係止部材２８は、縦辺額縁材Ｇ２の見込み面に固定されるようになっている。
【００３５】
一方、本実施形態におけるシャッター１０の駆動機構は、第１実施形態と略同一の構成を備え、すなわち従動伝達部材としての従動スプロケット１５と、開閉操作手段である手動操作ユニット２０と、主動スプロケット２５と従動スプロケット１５とに巻回されたチェーン１６とを有して構成されている。ただし、本実施形態において、手動操作ユニット２０のケース体２３は、シャッターボックス５６の内部に設けられており、ケース体２３の一部が室内側に露出した第１実施形態と、ケース体２３の取付位置が相違している。従って、ケース体２３から突出したボールチェーン２７は、室内側に向かって略水平に延び、開口部５３Ｃのチェーン受け５３Ｄに支持されてから、室内空間に垂下されるようになっている。また、ケース体２３は、その突起部２３Ａ（図５、図８参照）がシャッターボックス５６の開口から室内側に突出するように設置され、これらのケース体２３とシャッターボックス５６の開口周縁との間には、図示しない気密材（シール材）が介挿されている。
【００３６】
このような本実施形態によれば、前記（１）〜（４）の効果と略同様の効果に加えて以下の効果を奏することができる。
（５）窓枠５１を第１窓枠５１Ａと第２窓枠５１Ｂとで構成したことで、第１窓枠５１Ａおよび障子５２からなる窓部と、第２窓枠５１Ｂおよびシャッター１０からなるシャッター部とを独立して設計、製造することができる。従って、シャッター１０が付属しない窓と、シャッター１０が付属する窓とにおいて、窓部の部品（第１窓枠５１Ａ）を共通化することができる。これとは逆に、シャッター１０が付属しない窓に対して第２窓枠５１Ｂを連結することで、後付けでシャッター１０を取り付けることもできる。すなわち、第１窓枠５１Ａの第１固定片部５３Ａ，５４Ａ，５５Ａを外壁に固定すれば、この第１窓枠５１Ａを半外付けの窓枠として利用することができ、シャッター１０の付属しない窓が構成可能である。一方、第１窓枠５１Ａと第２窓枠５１Ｂとを連結して窓枠５１を構成することで、本実施形態のようなシャッター１０の付属する窓が構成可能である。さらに、本実施形態のような縦辷り出し窓５０に限らず、様々な形式の窓に広く利用されている半外付けの窓枠（第１窓枠５１Ａ）に、第２窓枠５１Ｂを連結することで、容易にシャッター１０を取り付けることができるようになる。
【００３７】
なお、本発明は、前記各実施形態に限定されるものではなく、本発明の目的を達成できる他の構成等を含み、以下に示すような変形等も本発明に含まれる。
例えば、前記第１実施形態において、建具の一例としての上げ下げ窓１について説明し、前記第２実施形態において、縦辷り出し窓５０について説明したが、本発明の建具は、上げ下げ窓１や縦辷り出し窓５０に限らず、引違い窓や片引き窓などの障子（面材）が左右スライド開閉自在に支持された窓であってもよく、また嵌め殺し窓のように面材が窓枠（枠体）内部に固定された窓であってもよい。また、上げ下げ窓であっても、前記第１実施形態のようなシングルハングの上げ下げ窓に限らず、上下の障子がそれぞれ開閉自在に支持されたダブルハングの上げ下げ窓であってもよく、さらには３枚以上の面材を有したものであってもよい。
【００３８】
また、前記実施形態において、遮蔽体としてのシャッター面材１１を有したシャッター１０（ロールシャッター）が設けられた建具について説明したが、遮蔽体としては、複数のスラットが上方に巻取り収容可能に構成されたシャッターに限らず、スラットが折り畳み収容されたり重ね合わせ収容されるタイプのシャッターやブラインドであってもよい。さらに、遮蔽体としては、上方に巻取り収容可能なネットを備えて構成されたロール網戸であってもよい。
また、前記実施形態において、室内側見付け面５Ｄおよび閉塞部５３Ｂの室内面を垂直方向に延びる面としたが、これに限らず、室内側見付け面としては、室内側に面した斜面（例えば、図１の右斜め下方向に面した斜面）であってもよく、障子（面材）と対向していない面であればよい。つまり、室内側見付け面５Ｄや閉塞部５３Ｂの室内面が障子と対向した面の場合は、操作部材（ボールチェーン２７）が障子と干渉しやすくなるため、その干渉が回避できる面であればよい。
また、前記実施形態において、操作部材としてボールチェーン２７を採用したが、操作部材は、ボールチェーン２７に限らず、ロープやワイヤー、チェーンなどであってもよく、また回動軸２４に適宜なギア等を介して接続されて回転操作可能に構成された回動ロッドなどであってもよい。
【００３９】
また、前記実施形態では、手動操作ユニット２０を上枠５における長手方向左右の一方（室内側から向かって左側）のみに設けたが、左右の両方に手動操作ユニット２０を設けてもよく、さらには上枠５の長手方向中間位置に手動操作ユニット２０を設けてもよい。
また、前記実施形態では、手動操作ユニット２０の主動スプロケット２５と巻取りドラム１２の従動スプロケット１５とをチェーン１６で接続し、これによりボールチェーン２７の操作力を巻取りドラム１２に伝達する駆動機構を採用したが、駆動機構としては、適宜な構造のものが採用可能である。すなわち、主動プーリおよび従動プーリと無端ベルトとで構成された駆動機構や、複数のギアを組み合わせて構成された駆動機構など、その構造は任意に選択してもよい。
【００４０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４１】
【図１】本発明の第１実施形態に係る建具を示す縦断面図である。
【図２】前記建具を示す横断面図である。
【図３】前記建具の一部を室内側から見た正面図である。
【図４】(Ａ)，(Ｂ)は、前記建具に設けたシャッターの一部を示す縦断面図である。
【図５】前記シャッターの駆動機構を示す横断面図である。
【図６】前記シャッターの開閉操作手段を示す縦断面図である。
【図７】前記開閉操作手段を示す側面図である。
【図８】前記開閉操作手段を示す斜視図である。
【図９】本発明の第２実施形態に係る建具を示す縦断面図である。
【図１０】前記建具を示す横断面図である。
【図１１】前記建具設けたシャッターの駆動機構を示す横断面図である。
【符号の説明】
【００４２】
２，５１…枠体である窓枠、３…面材である上部障子、４…面材である下部障子、５，５３…上枠、５Ｃ…面材支持部である凹部、５Ｄ…室内側見付け面、５Ｇ，５３Ｃ…開口部、１０…シャッター、１１…遮蔽体であるシャッター面材、１２…巻取りドラム、１３Ａ…収容部である収容空間、１４…巻取り軸、１５…従動伝達部材である従動スプロケット、２０…開閉操作手段である手動操作ユニット、２３…ケース体、２４…回動軸、２５…主動伝達部材である主動スプロケット、２６…連結部であるギア、２７…操作部材であるボールチェーン、５２…面材である障子、５３Ｂ…閉塞部（室内側見付け面）。
【図１】
2008231906.tif 000003
【図２】
2008231906.tif 000004
【図３】
2008231906.tif 000005
【図４】
2008231906.tif 000006
【図５】
2008231906.tif 000007
【図６】
2008231906.tif 000008
【図７】
2008231906.tif 000009
【図８】
2008231906.tif 000010
【図９】
2008231906.tif 000011
【図１０】
2008231906.tif 000012
【図１１】
2008231906.tif 000013